(57)【要約】      （修正有）【課題】表示手段に表示されるレベルを、実際に送出されるレベルとすることができるレベル制御装置及びレベル制御プログラムを提供する。【解決手段】センド部からＡＵＸバスの各バスへ送出される実際のレベルは、センド部に設定されているセンドレベルに、その入力ｃｈの入力ｃｈ部のフェーダに設定されているフェーダレベルを乗算したレベルとなる。入力ｃｈ用のメイン画面３０のＡＵＸバスセンドエリア３１には、ＡＵＸバスの各バスへ送出される実際のレベルを算出してレベルＰｒｅ／Ｐｏｓｔ表示部３２ｂに表示し、センド部へ供給される信号がプリフェーダ信号かポストフェーダ信号かを表示し、右側にレベルをバーの長さで示すレベル表示部３２ｃが表示されている。【選択図】図４
2016171388.tif 000002
【特許請求の範囲】
【請求項１】
複数の系の個々のレベルを、それぞれ制御する個別レベル制御手段と、
前記複数の系の個々のレベルを、一括して制御することが可能な全体レベル制御手段と、
前記全体レベル制御手段の前からあるいは後からのいずれかを前記系毎に選択して、前記個別レベル制御手段に供給する選択手段と、
前記選択手段が前記前からを選択している場合は、前記個別レベル制御手段の個別制御レベルを、前記個々の系から送出される送出レベルとして算出し、前記選択手段が前記後からを選択している場合は、前記個別レベル制御手段の個別制御レベルに、前記全体レベル制御手段の全体制御レベルを反映させたレベルを、前記個々の系から送出される送出レベルとして算出する算出手段と、
該算出手段で算出した送出レベルを前記複数の系毎に表示する表示手段と、
を備えることを特徴とするレベル制御装置。
【請求項２】
一つの入力が前記複数の系に供給され、前記表示手段には、前記複数の系のそれぞれの前記送出レベルが並べて表示されることを特徴とする請求項１に記載のレベル制御装置。
【請求項３】
前記表示手段には、前記選択手段で選択された選択状態が表示されることを特徴とする請求項１または２に記載のレベル制御装置。
【請求項４】
１つの入力チャンネルから複数のミキシング用のバスへ送るセンドレベルを前記バス毎に制御する複数のセンドと、
前記１つの入力チャンネルのレベルを制御するフェーダと、
前記フェーダの入力側からのプリフェーダ信号あるいは出力側からのポストフェーダ信号を前記センド毎に選択して前記センドに供給する複数のプリ／ポスト選択手段と、
前記プリ／ポスト選択手段が前記プリフェーダ信号を選択している場合は、前記各センドに設定されたセンドレベルを、前記各センドから前記バスへ送出される送出レベルとして算出し、前記プリ／ポスト選択手段が前記ポストフェーダ信号を選択している場合は、前記各センドに設定されたセンドレベルに、前記フェーダに設定されたフェーダレベルを反映させたレベルを、前記各センドから前記バスへ送出される送出レベルとして算出する算出手段と、
該算出手段で算出した送出レベルを前記バス毎に表示する表示手段と、
を備えることを特徴とするレベル制御装置。
【請求項５】
表示手段を少なくとも備えるコンピュータに、
複数の系の各系が備える個別レベル制御手段のユーザ操作に応じて、ユーザ操作された系の個別制御レベルを制御する個別レベル制御ステップと、
全体レベル制御手段のユーザ操作に応じて、前記複数の系の個々のレベルを、一括して制御する全体レベル制御ステップと、
前記全体レベル制御手段の前からあるいは後からのいずれかを前記系毎に選択して、前記個別レベル制御手段に供給する選択ステップと、
前記選択ステップで前記前からを選択している場合は、前記個別レベル制御手段の個別制御レベルを、前記個々の系から送出される送出レベルとして算出し、前記選択ステップで前記後からを選択している場合は、前記個別レベル制御手段の個別制御レベルに、前記全体レベル制御手段の全体制御レベルを反映させたレベルを、前記個々の系から送出される送出レベルとして算出する算出ステップと、
該算出ステップで算出した送出レベルを前記複数の系毎に、前記表示手段に表示する表示ステップと、
からなる手順を実行させることを特徴とするレベル制御プログラム。
【発明の詳細な説明】
【技術分野】
【０００１】
この発明は、複数の系の個々から送り出される制御されたレベルを表示する際に、実際のレベルを表示することができるレベル制御装置およびレベル制御プログラムに関する。
【背景技術】
【０００２】
ミキサは、入力信号系列として複数のマイク／ライン入力の入力チャンネル（以下、「チャンネル」を「ｃｈ」として表す。）を備え、入力ｃｈからミキシング用のバスに送出する。このバスからのミキシング信号は、出力信号系列である複数の出力ｃｈから出力される。各入力ｃｈでは、周波数特性および音量レベルが調整され、次いでバスへ送出されるセンドレベルが調整される。
従来のミキサにおいて、複数のミキシングバスの各々に対して送出される入力信号の各センドレベルを、複数のミキシングバスの全てについて一覧表示するバスセンドレベル表示領域を入力ｃｈに備えることが知られている（特許文献１参照）。このミキサは、音量制御するためのフェーダと、センドレベルを制御するセンドとを有しており、各入力ｃｈには、ミキシングバスに対して送出する信号として、フェーダに供給される前の信号（プリフェーダ信号）と、フェーダで音量制御が行われた後の信号（ポストフェーダ信号）とのいずれを出力するのか選択するＰＲＥ／ＰＯＳＴ切替スイッチが、各ミキシングバスに夫々対応して設けられている。そして、バスセンドレベル表示領域には、各ミキシングバスの送出レベルがバーの長さで表示されると共に、入力信号がプリフェーダ信号かポストフェーダ信号かに応じて表示色が変更されて表示され、入力ｃｈ毎の各ミキシングバスへ送出するレベルと入力信号の種類を、全ての入力ｃｈについて視覚的に容易に且つ直感的に確認することができるようになっている。
【先行技術文献】
【特許文献】
【０００３】
【特許文献１】特開２００５−２２３６０３号公報
【発明の概要】
【発明が解決しようとする課題】
【０００４】
従来のミキサにおいては、各入力ｃｈの音量レベルを制御するフェーダと、各入力ｃｈから各ミキシングバスへ送出するセンドレベルを制御するセンドとが備えられている。このセンドには、プリフェーダ信号あるいはポストフェーダ信号が、ＰＲＥ／ＰＯＳＴ切替スイッチで選択されて供給される。そして、バスセンドレベル表示領域にはセンドに設定されているセンドレベルが表示される。そうすると、プリフェーダ信号が選択されている場合は、センドからミキシングバスへ送られる信号のレベルは、センドだけで調整されることから、表示されたセンドレベルが実際にセンドから送出される信号のレベルとなる。しかし、ポストフェーダ信号が選択されている場合は、センドからミキシングバスへ送られる信号のレベルは、フェーダでレベルが調整されてからセンドで調整されることから、表示されたセンドレベルは実際にセンドから送出される信号とは異なるレベルになってしまう。すなわち、バスセンドレベル表示領域の表示を見ても入力ｃｈからミキシングバスへ送出されるレベルを正確に把握することができない場合があるという問題点があった。
【０００５】
そこで、本発明は、表示手段に表示されるレベルを、実際に送出されるレベルとすることができるレベル制御装置およびレベル制御プログラムを提供することを目的としている。
【課題を解決するための手段】
【０００６】
上記目的を達成するために、本発明のレベル制御装置は、複数の系の個々のレベルを、それぞれ制御する個別レベル制御手段と、前記複数の系の個々のレベルを、一括して制御することが可能な全体レベル制御手段と、前記全体レベル制御手段の前からあるいは後からのいずれかを前記系毎に選択して、前記個別レベル制御手段に供給する選択手段と、前記選択手段が前記前からを選択している場合は、前記個別レベル制御手段の個別制御レベルを、前記個々の系から送出される送出レベルとして算出し、前記選択手段が前記後からを選択している場合は、前記個別レベル制御手段の個別制御レベルに、前記全体レベル制御手段の全体制御レベルを反映させたレベルを、前記個々の系から送出される送出レベルとして算出する算出手段と、該算出手段で算出した送出レベルを前記複数の系毎に表示する表示手段とを備えることを最も主要な特徴としている。
【発明の効果】
【０００７】
本発明のレベル制御装置では、選択手段が、全体レベル制御手段の前からを選択している場合は、個別レベル制御手段の個別制御レベルを、個々の系から送出される送出レベルとして算出し、全体レベル制御手段の後からを選択している場合は、個別レベル制御手段の個別制御レベルに、前記レベル制御手段の全体制御レベルを反映させたレベルを、前記個々の系から送出される送出レベルとして算出し、算出した送出レベルを表示手段に表示したことから、表示手段に表示されるレベルを、実際に送出されるレベルとすることができるようになる。
【図面の簡単な説明】
【０００８】
【図１】本発明にかかるレベル制御装置を備えるミキサの主要な構成を示す回路ブロック図、および、その一部の構成を拡大して示す回路ブロック図である。
【図２】本発明にかかるミキサの構成を示す機能ブロック図である。
【図３】本発明にかかるレベル制御装置を備えるミキサで実行される算出処理のフローチャートである。
【図４】本発明にかかるレベル制御装置を備えるミキサに表示される入力ｃｈ用のメイン画面、および、その一部を拡大して示す図である。
【図５】本発明にかかるレベル制御装置を備えるミキサに表示されるＡＵＸバスセンド画面、および、その一部を拡大して示す図である。
【発明を実施するための形態】
【０００９】
本発明にかかるレベル制御装置を備えるミキサの主要な構成を示す回路ブロック図を図１（ａ）に、そのミキサの一部の構成を拡大して示す回路ブロック図を図１（ｂ）に示す。
図１（ａ）において、ミキサ１は、入力ｃｈ数がｎとされている入力ｃｈ毎に設けられた入力ｃｈ部１０−１，１０−２，・・・，１０−ｎを備え、各入力ｃｈ部１０−１〜１０−ｎにおいて周波数特性およびＡＵＸバス１２とＳＴバス１３に送出されるレベルが制御される。本発明にかかるレベル制御装置は、入力ｃｈ部１０−１〜１０−ｎと、ミキサ１が備える図示しないパネルに設けられた後述するメイン画面３０およびＡＵＸバスセンド画面４０が表示される表示手段とにより構成される。入力ｃｈ部１０−１には入力ｃｈ１の音信号Ｉｎ１が入力され、入力ｃｈ部１０−２には入力ｃｈ２の音信号Ｉｎ２が入力され、・・・，入力ｃｈ部１０−ｎには入力ｃｈｎの音信号Ｉｎｎが入力される。各入力ｃｈ部１０−１〜１０−ｎは同じ構成とされており、ヘッドアンプ（ＨＡ）２１、イコライザ（ＥＱ）２２、コンプレッサ（Comp）２３、フェーダー（Fader）２４、パン（Pan）２５を縦続接続した構成、および、センド（Send）２６を備えている。ＨＡ２１は、入力された音信号Ｉｎ１〜Ｉｎｎを所定レベルに増幅するアンプであり、ＥＱ２２は、入力ｃｈの音信号Ｉｎ１〜Ｉｎｎの周波数特性を調整するイコライザであり、例えば、ＨＩ，ＭＩＤ  ＨＩ，ＬＯＷ  ＭＩＤ，ＬＯＷの４バンドの各バンド毎の周波数特性を可変できるようにされている。また、コンプレッサ２３は、入力ｃｈの音信号Ｉｎ１〜Ｉｎｎのダイナミックレンジを狭くして、入力ｃｈの音信号Ｉｎ１〜Ｉｎｎが飽和することを防止しており、フェーダ２４は、入力ｃｈの音信号Ｉｎ１〜Ｉｎｎのレベルを制御する電動フェーダ等のレベル可変手段であり、パン２５は、入力ｃｈ部１０−１〜１０−ｎからＬＲの２系統のステレオ（ＳＴ）バス１３に送られるステレオ信号の左右の定位を調節している。さらに、センド２６には、フェーダ２４の前と後とのいずれかの音信号が供給されており、複数本（ｍ本）のミキシング用のＡＵＸバス１２のそれぞれに送る音信号のセンドレベルを制御している。この場合、センド２６には、ｍ本のＡＵＸバス１２毎にフェーダ２４の前からのプリフェーダ信号あるいは後からのポストフェーダ信号が選択されて供給され、選択された音信号のセンドレベルを制御して各ＡＵＸバス１２に送っている。
【００１０】
ミキサ１においては、入力ｃｈ１〜ｃｈｎの音信号を入力ｃｈ部１０−１〜１０−ｎから、ｍ本のＡＵＸバス１２の任意のバスに供給してミキシングすることができると共に、ＳＴバス１３に供給してミキシングすることができる。そして、ｍ本のＡＵＸバス１２からのミキシング信号は、出力ｃｈ数がｍとされている出力ｃｈ毎に設けられた出力ｃｈ部１４−１，１４−２，・・・，１４−ｍのそれぞれの出力ｃｈに出力されている。また、ＳＴバス１３でミキシングされたステレオ信号はステレオ出力ｃｈ部１５に出力されている。出力ｃｈ部１４−１，１４−２，・・・，１４−ｍおよびステレオ出力ｃｈ部１５においては、イコライザ、コンプレッサ、フェーダーなどが縦続接続されて設けられており、出力する音信号の周波数特性やレベルが制御される。
【００１１】
ここで、プリフェーダ信号あるいはポストフェーダ信号が供給されているセンド２６に関する詳細構成を図１（ｂ）に示す。図１（ｂ）に示すように、センド２６は、ＡＵＸバス１２と同数のｍ個の選択部ＳＷ１〜ＳＷｍと、選択部ＳＷ１〜ＳＷｍにそれぞれ縦続接続されたｍ個のセンド部（Send）２６−１〜２６−ｍとを備え、センド部２６−１〜２６−ｍからの音信号はｍ本のＡＵＸバス１２のそれぞれに供給されている。選択部ＳＷ１〜ＳＷｍは、それぞれフェーダ２４の前のプリフェーダ（PRE）か、フェーダ２４の後のポストフェーダ（POST）のいずれかを選択しており、後続するセンド（Send）２６−１〜２６−ｍに選択されたプリフェーダ信号あるいはポストフェーダ信号が供給され、センド部（Send）２６−１〜２６−ｍのそれぞれに接続されている１本のＡＵＸバス１２に送る音信号のセンドレベルを制御している。
【００１２】
ミキサ１の構成を示す機能ブロック図を図２に示す。
図２に示すミキサ１において、音信号の信号処理はＤＳＰ（Digital Signal Processor）５２を用いて実行されており、ＣＰＵ（Central Processing Unit）５０の制御の元で入力ｃｈ部１０−１〜１０−ｎ、ＡＵＸバス１２、ＳＴバス１３、出力ｃｈ部１４−１〜１４−ｍ、ステレオ出力ｃｈ部１５における信号処理を行っている。これらの信号処理をＣＰＵ５０にて動作するソフトウェアによって実現しても良い。ミキサ１の全体の制御はＣＰＵ５０により行われている。メモリ５１は、フラッシュメモリとＲＡＭ（Random Access Memory）とを備え、ＣＰＵ５０が実行するレベル制御プログラムなどの動作ソフトウェアや各種データがフラッシュメモリに記憶され、ＣＰＵ５０のワークメモリ領域や一時保存データ等の領域がＲＡＭに設定される。なお、フラッシュメモリの一部領域をＲＡＭとして用いてもよいし、フラッシュメモリに替えてハードディスク等の書換可能な不揮発性の記憶デバイスを用いてもよい。表示手段である表示部５３は、液晶表示器等とされ後述するメイン画面３０やＡＵＸバスセンド画面４０などの画面が表示される。操作部５４は、フェーダー２４やセンド２６等の操作子を備え、操作子の操作を検出している。検出された操作信号に基づいて信号処理に用いるパラメーターが編集される。表示部５３をタッチパネル付きとして、タッチパネルを操作部５４とすることができる。その他Ｉ／Ｆ５５は、外部機器を接続するためのインタフェースであり、ネットワーク用のインタフェースやＵＳＢ（Universal Serial Bus）などのシリアルインタフェースとされる。音声Ｉ／Ｆ５６は、ミキサ１に音信号を入力するアナログ入力ポートや信号処理された音信号を出力するアナログ出力ポート、ディジタル信号を入力すると共に、外部に信号処理されたディジタル信号を出力するディジタル入力／出力ポートを備えている。アナログ入力ポートから入力された音信号はディジタル信号に変換されて音声／通信バス５７に送出され、入力されたディジタル入力信号も音声／通信バス５７に送出される。音声／通信バス５７へ送出されたディジタル信号はＤＳＰ５２が受け取って所定の信号処理が施される。これにより、ＤＳＰ５２から音声／通信バス５７に送出された音信号を音声Ｉ／Ｆ５６からスピーカ等へ供給することができるようになる。
【００１３】
ミキサ１は本発明にかかるレベル制御プログラムを実行することにより、以下に説明するレベル制御装置を実現している。レベル設定装置では、入力ｃｈ部１０−１〜１０−ｎからＡＵＸバス１２のそれぞれのバスに送られる音信号の実際のレベルを算出する算出処理をＣＰＵ５０が行い、算出処理で算出されたレベルが後述するメイン画面３０およびＡＵＸバスセンド画面４０に表示されるようになる。算出処理では、センド部２６−１〜２６−ｍに設定されているセンドレベルに、選択部ＳＷ１〜ＳＷｍの選択状態に応じてフェーダ２４に設定されているフェーダレベルを反映させる処理を行うことにより、送出される実際のレベルを算出している。ＣＰＵ５０で実行される算出処理のフローチャートを図３に示す。
算出処理は所定タイミングが到来する毎にスタートされ、算出処理がスタートされると、ステップＳ１０にて所定の選択部ＳＷで選択されたSend Pointがプリフェーダ（PRE）かポストフェーダ（POST）かをＣＰＵ５０が判断する。ここで、プリフェーダ（PRE）が選択されているとＣＰＵ５０が判断した場合は、ステップＳ１１に進んで、ＣＰＵ５０は表示部５３に表示するレベルを、選択部ＳＷに対応するセンド部２６で設定されているセンドレベル（Send Level）のレベル値として、算出処理は終了する。また、ポストフェーダ（POST）が選択されているとＣＰＵ５０が判断した場合は、ステップＳ１２に進んで、ＣＰＵ５０は、選択部ＳＷに対応するセンド部２６で設定されているセンドレベル（Send Level）に、当該選択部ＳＷが設けられている入力ｃｈ部１０のフェーダ２４で設定されているフェーダレベル（Fader値）を乗算して算出し、算出したレベルを表示部５３に表示するレベルとして、算出処理は終了する。このように、算出処理では、選択部ＳＷがプリフェーダ（PRE）を選択した場合は、センドレベル（Send Level）が算出されたレベルとなり、選択部ＳＷがポストフェーダ（POST）を選択した場合は、センドレベル（Send Level）にフェーダレベル（Fader値）を反映したレベルが算出されたレベルとなる。なお、ステップＳ１２において乗算により算出するのは、センドレベルおよびフェーダレベルがリニアスケールの場合であり、ｄＢスケールの場合はセンドレベルにフェーダレベルが加算されて表示部５３に表示するレベルが算出される。なお、フローチャートでは示されていないが算出処理が一度スタートすると、全ての入力ｃｈ部１０−１〜１０−ｎにおける全てのセンド部２６−１〜２６−ｍからＡＵＸバス１２のそれぞれのバスに送出される実際の各レベルの全てがＣＰＵ５０で算出される。すなわち、ｎ×ｍ回の算出処理がＣＰＵ５０で繰り返し行われることになる。そして、算出された各レベルで表示レベルが更新されて記憶手段に記憶される。
【００１４】
本発明にかかるミキサ１の表示部５３に表示される入力ｃｈ用のメイン画面３０の構成を図４（ａ）に示す。
ユーザがメイン画面３０を表示させる操作を行うと、表示部５３に図４（ａ）に示す入力ｃｈ用のメイン画面（CH View）３０が表示される。図示する例は、入力ｃｈ１用のメイン画面３０であり、「Ch.1 Vocal」のｃｈ名と、入力ｃｈ１に対応する入力ｃｈ部１０−１に設定されている各種パラメータが表示される。なお、図示しないチャンネル移動ボタンを操作することにより、入力ｃｈ２〜ｎのいずれかの入力ｃｈ用のメイン画面３０を表示することができ、何れであってもメイン画面３０は共通の構成とされている。メイン画面３０には、ＨＡ２１のゲインを回転角度で示すノブとレベルメータとからなるＨＡ部２１ａと、ＥＱ２２の周波数特性のグラフとレベルメータとからなるＥＱ部２２ａと、コンプレッサ２３の出力レベル特性を示すグラフとレベルメータとからなるComp部２３ａとが向かって左側からほぼ中央部に表示されている。その右側には、フェーダ２４のフェーダレベルを調整するノブを備えるFader部２４ａと、そのレベルメータとが表示され、その上側にパン２５の定位状態を示すPAN 部２５ａと、さらにその上側にチャンネルをオン／オフするCHSW２７ａが表示されている。さらに、これらの右側にＡＵＸバス１２のｍ本の各バスへ送出される実際のレベルと、選択部ＳＷ１〜ＳＷｍの選択状態とを表示するＡＵＸバスセンドエリア３１が表示されている。このＡＵＸバスセンドエリア３１に表示されるＡＵＸバス１２のｍ本の各バスへ送出される実際のレベルは、前述した算出処理で算出された各レベルが記憶手段から読み出されて表示される。図示するＡＵＸバスセンドエリア３１では、ＡＵＸバス１２が８本とされている例が示されている。また、CHSW２７ａは、図１に示すフェーダ２４とＰＡＮ２５とを接続するラインであって、ポストフェーダ信号を分岐する前に挿入されており、CHSW２７ａをオフすると、フェーダ２４からＡＵＸバス１２およびＳＴバス１３への送出がオフになる。
【００１５】
ＡＵＸバスセンドエリア３１に表示されるＡＵＸバス１２のバス３に関連する表示態様を拡大して図４（ｂ）に示す。この図に示すように、バス番号部３１ａに「３」と表示され、その右側にPre/Post表示部３２ｂが表示され、その右側にレベルをバーの長さで示すレベル表示部３２ｃが表示されている。ＡＵＸバス１２のバス３には、このバス３に接続されているセンド部２６−３から送出された音信号が供給される。Pre/Post表示部３２ｂが図示するように塗りつぶされて●が表示されている場合は、バス３に接続されているセンド部２６−３に音信号を供給する選択部ＳＷ３で、ポストフェーダ（POST）が選択されていることを示しており、○が表示されている場合は、バス３に接続されているセンド部２６−３に音信号を供給する選択部ＳＷ３で、プリフェーダ（PRE）が選択されていることを示している。レベル表示部３２ｃでは、濃色で示すバーの長さで、上記した図３に示す算出処理で算出された実際のレベルが記憶手段から読み出されて表示される。図示する場合は、選択部ＳＷ３でポストフェーダ（POST）が選択されており、入力ｃｈ１の入力ｃｈ部１０−１のフェーダ２４に設定されているフェーダレベルに、入力ｃｈ部１０−１のセンド部２６−３に設定されているセンドレベルが乗算されたレベルが表示される。なお、選択部ＳＷ３でプリフェーダ（PRE）が選択されている（○が表示）場合は、入力ｃｈ部１０−１のセンド部２６−３に設定されているセンドレベルが表示される。ＡＵＸバス１２の他のバスでも表示態様は同様とされている。
このように、ＡＵＸバスセンドエリア３１に表示されるレベルをＡＵＸバス１２に実際に送出されるレベルとすることができることから、ユーザはＡＵＸバスセンドエリア３１を見ることで、ＡＵＸバス１２の各バスへ送る実際の音量を確認することができる。
【００１６】
メイン画面３０のＡＵＸバスセンドエリア３１にカーソルを置いてクリック（表示部５３がタッチパネル付きの場合は、タッチ）すると図５（ａ）に示すＡＵＸバスセンド画面４０のウィンドウが表示されるようになる。ＡＵＸバスセンド画面４０は、ＡＵＸバスセンドエリア３１を拡大して詳細に表示する画面であり、図示する例は、メイン画面３０が入力ｃｈ１用とされていることから、「Ch.1 Vocal」のｃｈ名が表示され、ＡＵＸバス１２のバス番号と、選択部ＳＷ１〜ＳＷｍの選択状態と、ＡＵＸバス１２のバスへ送出される実際のレベルを表示するレベル表示部との組み合わせが、ＡＵＸバス１２のバスの本数分表示される。
ここで、ＡＵＸバス１２の１本のバスに関する表示態様を拡大して図５（ｂ）に示す。この図に示す例は、ＡＵＸバス１２のバス４に関する表示部分であり、バス４のバス番号「ＡＵＸ４」がバス番号部４１ａに表示され、その上側に実際に送出されるレベルをバーの長さで示すレベル表示部４１ｂが表示されている。レベル表示部４１ｂにはフェーダのノブを模擬するノブ部４１ｃが表示される。レベル表示部４１ｂの上側にはPre/Post表示部４１ｄが表示される。ＡＵＸバス１２のバス４（ＡＵＸ４）には、このバス４に接続されているセンド部２６−４から送出された音信号が供給される。Pre/Post表示部４１ｄの欄に「Post」の文字が表示され濃い表示色とされているバス４（ＡＵＸ４）の場合は、選択部ＳＷ４でポストフェーダ（POST）が選択されてセンド部２６−４に供給されていることが示されている。また、Pre/Post表示部４１ｄの欄に「Pre」の文字が表示されて白い表示色とされていた場合は、選択部ＳＷ４でプリフェーダ（PRE）が選択されてセンド部２６−４に供給されていることになる。レベル表示部４１ｂでは、上記した図３に示す算出処理で算出された実際のレベルが記憶手段から読み出され、表示された濃色で示すバーの長さが読み出されたレベルに応じた長さとされる。図示する場合は、選択部ＳＷ４でポストフェーダ（POST）が選択されており、入力ｃｈ１の入力ｃｈ部１０−１のフェーダ２４に設定されているフェーダレベルに、入力ｃｈ部１０−１のセンド部２６−４に設定されているセンドレベルが乗算されたレベルが表示される。なお、選択部ＳＷ４でプリフェーダ（PRE）が選択されている場合は、入力ｃｈ部１０−１のセンド２６−４に設定されているセンドレベルが表示される。ＡＵＸバス１２の他のバス（ＡＵＸ１〜ＡＵＸ３，ＡＵＸ５〜ＡＵＸ８）でも表示態様は同様とされている。
このように、ＡＵＸバスセンド画面４０を表示させるとＡＵＸバス１２に実際に送出されるレベルを表示することができることから、ユーザはＡＵＸバスセンド画面４０を見ることで、ＡＵＸバス１２の各バスに供給される実際の音量を確認することができる。
【産業上の利用可能性】
【００１７】
以上説明した本発明のレベル制御装置を備えるミキサでは、１つの入力ｃｈが備える複数のセンド２６−１〜２６−ｍが、複数の系の個々のレベルを、それぞれ制御する個別レベル制御手段に相当し、フェーダ２４が、複数の系の個々のレベルを、一括して制御することが可能な全体レベル制御手段に相当し、選択部ＳＷ１〜ＳＷｍが、全体レベル制御手段の前からの信号と後からの信号のいずれかを前記系毎に選択して、前記個別レベル制御手段に供給する選択手段に相当し、ＣＰＵ５０で実行される算出処理が、選択手段が前記後からの信号を選択している場合だけ、個別レベル制御手段の個別制御レベルに、全体レベル制御手段の全体制御レベルを反映させて、個々の系から送出される送出レベルを算出する算出手段に相当し、表示部５３が、算出手段で算出した送出レベルを複数の系毎に表示する表示手段に相当する。
また、ミキサにおいて、各入力ｃｈ毎に備えられているフェーダ操作子の複数をグループ化して、グループマスタのマスタフェーダ操作子を操作することで、同一グループ内のフェーダ操作子を連動させて操作できるようにしている場合は、本発明にかかるレベル制御装置において、上記算出処理を行う際にマスタフェーダ操作子に設定されているマスタフェーダレベルも反映させて、センドから送出される実際のレベルを算出する。具体的には、上記算出処理で算出したレベル値にマスタフェーダレベルを乗算して、センドから送出される実際のレベルを算出すればよい。ただし、レベルがｄＢスケールの場合は乗算に替えて加算により算出するようにする。これにより、ＡＵＸバスセンドエリアに表示されているレベル表示部３２ｃ、および、ＡＵＸバスセンド画面に表示されているレベル表示部４１ｂに、マスタフェーダ操作子に設定されているマスタフェーダレベルも反映させたセンドから送出される実際のレベルが表示されるようになる。
さらに、ミキサにおいて、選択部ＳＷとセンドとを接続するラインにセンドＳＷが挿入されている場合は、上記算出処理を行う際にセンドＳＷのオン／オフ状態も反映させて、センドから送出される実際のレベルを算出する。具体的には、センドＳＷがオン状態の場合は算出されたレベル値をそのままとし、センドＳＷがオフ状態の場合は算出されたレベル値に替えて最小のレベル値とすれば良い。
本発明のレベル制御装置は、ミキサのレベル制御装置として説明したが、これに限ることはなく、例えば、複数の照明を備える照明装置の各照明の照度レベルを制御するレベル制御装置とすることができる。この場合は、複数の照明の個々の照度レベルを個別レベル制御手段で調整し、複数の照明の個々の照度レベルを、一括して全体レベル制御手段で制御することができる。
【符号の説明】
【００１８】
１  ミキサ、１０，１０−１〜１０−ｎ  入力ｃｈ部、１２  ＡＵＸバス、１３  ＳＴバス、１４−１〜１４−ｍ  出力ｃｈ部、１５  ステレオ出力ｃｈ部、２１  ＨＡ、２１ａ  ＨＡ部、２２  ＥＱ、２２ａ  ＥＱ部、２３  コンプレッサ、２３ａ  Comp部、２４  フェーダ、２４ａ  Fader部、２５  パン、２５ａ  Pan部、２６  センド、２６−１〜２６−ｍ  センド部、３０  メイン画面、３１  ＡＵＸバスセンドエリア、３１ａ  バス番号部、３２ｂ  Pre/Post表示部、３２ｃ  レベル表示部、４０  ＡＵＸバスセンド画面、４１ａ  バス番号部、４１ｂ  レベル表示部、４１ｃ  ノブ部、４１ｄ  Pre/Post表示部、ＳＷ，ＳＷ１〜ＳＷｍ  選択部
【図１】
2016171388.tif 000003
【図２】
2016171388.tif 000004
【図３】
2016171388.tif 000005
【図４】
2016171388.tif 000006
【図５】
2016171388.tif 000007